(57)【要約】【課題】低減搬送波のレベル変動を抑え変調度を安定させる無線機を提供する。【解決手段】送信部１１０にて、変調波信号生成部１ａがＲＺ−ＳＳＢ変調を行ったデジタル同相信号Ｉ及びデジタル直交信号Ｑを出力し、Ｄ／Ａ変換器６ａでアナログ同相信号Ｉ及びアナログ直交信号Ｑに変換される。また、加算器２５でＲＯＭ２１ａの「低減搬送波初期値」と（低減搬送波初期値＋基準電圧）の補正値が加算される。加算器２５の出力は、Ｄ／Ａ変換器２７ａでアナログ信号に変換され、加算器２９で基準電圧発生部２８から出力された基準電圧が加算され、加算器７ａ及び加算器８ａにてＤ／Ａ変換器６ａの出力と加算される。加算器２９の出力はＡ／Ｄ変換器２６でデジタル信号に変換され、データ比較・補正値生成部２４でＲＯＭ２３の「基準電圧＋低減搬送波初期値」の基準値と比較され、変動があれば（低減搬送波初期値＋基準電圧）の補正値として加算器２５に出力される。【選択図】図１
2012124818.tif 000002
【特許請求の範囲】
【請求項１】
ＲＺ−ＳＳＢ方式の無線機において、
低減搬送波初期値を記憶する低減搬送波初期値記憶手段と、
一定の基準電圧を発生させる基準電圧発生手段と、
前記低減搬送波初期値と前記基準電圧を加算して変調波に供給する電圧供給手段と、
前記基準電圧と前記低減搬送波初期値の和の基準値を記憶する電圧和記憶手段と、
前記電圧和記憶手段に記憶された電圧和と前記電圧供給手段から出力された電圧を比較して補正値を生成する補正値生成手段と、
前記補正値生成手段で生成した補正値に基づいて前記電圧供給手段の出力を補正する電圧補正手段と、
を備えたことを特徴とする無線機。
【発明の詳細な説明】
【技術分野】
【０００１】
本発明は、ＲＺ−ＳＳＢ(REAL ZERO SINGLE SIDE-BAND：実数零点単側波帯)方式を用いる無線機に係り、特に送信波に付加される低減搬送波のレベル調整を行う無線機に関する。
【背景技術】
【０００２】
使用する周波数帯域が最も少ない振幅変調の一種であるＲＺ−ＳＳＢ方式を用いる無線機の送信波の変調波には低減搬送波が付加され、この低減搬送波と変調波の電力和が無線機の送信電力となる。また、低減搬送波と変調波のレベル比により変調波の変調度が決まるため、無線機の送信波を安定させるためには低減搬送波のレベルを一定に保たれなければならない。
【０００３】
従来のＲＺ−ＳＳＢ方式を用いた無線機の送信部２１０について説明する。図２に従来のＲＺ−ＳＳＢ方式を用いた無線機（図示せず）の送信部２１０の構成を示す。従来のＲＺ−ＳＳＢ方式の無線機の送信部２１０は、変調波信号生成部１、デジタルアナログ変換器（以下、Ｄ／Ａ変換器という）６、基準電圧発生部２８、加算器７、加算器８、ＲＯＭ２１、Ｄ／Ａ変換器２７、加算器３１、加算器３２、加算器９、加算器１０、ループフィルタ１１、ループフィルタ１２、直交変調器１５、ＲＦ（Radio Frequency）部１６、アンテナ１７、方向性結合器１８、帰還ＲＦ部１９、及び直交復調器２０から構成されている。
【０００４】
次に、送信部２１０を構成する各部の動作について説明する。変調波信号生成部１は、送信するデジタル信号をＲＺ−ＳＳＢ方式で変調し、変調波信号を生成すると、変調波信号のデジタル同相信号Ｉ、及びデジタル直交信号ＱをＤ／Ａ変換器６に出力する。Ｄ／Ａ変換器６は、変調波信号生成部１から入力するデジタル同相信号Ｉをアナログ同相信号Ｉに変換し、加算器７に出力する。また、Ｄ／Ａ変換器６は、変調波信号生成部１から入力するデジタル直交信号Ｑをアナログ直交信号Ｑに変換し、加算器８に出力する。基準電圧発生部２８は、ＤＣバイアス電圧変換を行うために発生させる一定の基準電圧である。加算器７は、Ｄ／Ａ変換器６から入力するアナログ同相信号Ｉと基準電圧発生部２８から出力された基準電圧とを加算し、加算したアナログ同相信号Ｉを加算器３１に出力する。加算器８は、Ｄ／Ａ変換器６から入力するアナログ直交信号Ｑと基準電圧発生部２８の出力とを加算し、加算したアナログ直交信号Ｑを加算器３２に出力する。Ｄ／Ａ変換器６が出力するアナログ同相信号Ｉ及びアナログ直交信号Ｑには、Ｄ／Ａ変換器６が出力するＤＣバイアス電圧が、直交変調器１５の入力ＤＣバイアス電圧と同じになるようにするために基準電圧発生部２８の出力が加算される。
【０００５】
ＲＯＭ２１は、低減搬送波生成用のＤＣバイアス電圧である「低減搬送波初期値」が記憶されている不揮発性の読み出し専用メモリである。Ｄ／Ａ変換器２７は、ＲＯＭ２１から読み出したデジタル値の「低減搬送波初期値」をアナログ値に変換し、加算器３１と加算器３２に出力する。加算器３１は、加算器７から入力したアナログ同相信号Ｉに、Ｄ／Ａ変換器２７から入力した「低減搬送波初期値」を加算することで、低減搬送波成分をアナログ同相信号Ｉに付加し、加算器９に出力する。加算器３２は、加算器８から入力したアナログ直交信号Ｑに、Ｄ／Ａ変換器２７から入力した「低減搬送波初期値」を加算することで、低減搬送波成分をアナログ直交信号Ｑに付加し、加算器１０に出力する。加算器９は、加算器３１から入力した低減搬送波成分が付加された変調波信号のアナログ同相信号Ｉから、直交復調器２０から入力した帰還側のアナログ同相信号Ｉを減算すると、ループフィルタ１１に出力する。加算器１０は、加算器３２から入力した低減搬送波成分が付加された変調波信号のアナログ直交信号Ｑから、直交復調器２０から入力した帰還側のアナログ直交信号Ｑを減算すると、ループフィルタ１２に出力する。
【０００６】
ループフィルタ１１は、加算器９から入力したアナログ同相信号Ｉに対して帯域制限し、直交変調器１５に出力する。ループフィルタ１２は、加算器１０から入力したアナログ直交信号Ｑに対して帯域制限し、直交変調器１５に出力する。直交変調器１５は、ループフィルタ１１から入力したアナログ同相信号Ｉと、ループフィルタ１２から入力したアナログ直交信号Ｑを、ＩＦ（中間）周波数帯に直交変調し、ＲＦ部１６に出力する。ＲＦ部１６は、直交変調器１５から入力した直交変調された出力信号をＲＦ（Radio Frequency：高周波数）の周波数帯に変換すると、規定出力に増幅して方向性結合器１８を介してアンテナ１７に出力する。アンテナ１７は、ＲＦ部１６から出力信号を入力すると空間に放射する。方向性結合器１８は、ＲＦ部１６から出力信号の一部を分波し、帰還ＲＦ部１９へ出力する。無線機は、負帰還方式リニアライザの構成とするために方向性結合器１８を備え、方向性結合器１８により出力信号の一部を分波して帰還させている。帰還ＲＦ部１９は、ＲＦ部１６から入力した出力信号をＩＦ周波数帯に変換し、直交復調器２０に出力する。直交復調器２０は、帰還ＲＦ部１９から入力した出力信号をベースバンド帯に直交復調すると、直交復調した出力信号のアナログ同相信号Ｉを加算器９に出力し、直交復調した出力信号のアナログ直交信号Ｑを加算器１０に出力する。このように加算器９が入力したアナログ同相信号Ｉから直交復調器２０により帰還したアナログ同相信号Ｉを減算し、また加算器１０が入力したアナログ直交信号Ｑから直交復調器２０により帰還したアナログ直交信号Ｑを減算することで送信波に負帰還が行われるため、非線形歪み補償された変調信号が得られる。
【０００７】
次に、このような従来のＲＺ−ＳＳＢ方式を利用した無線機の送信部２１０の送信スペクトラムについて説明する。図３に送信部２１０の低減搬送波とＳＳＢ（Single Band Side：単側波帯）変調波を組み合わせた波形のスぺクトラムを示す。図３（１）の（ａ）に直交変調器１５の原点（０，０）に相当するＤＣバイアス電圧と、直交変調器１５に入力される変調波信号の原点（Ｘ，Ｙ）に相当するＤＣバイアス電圧が一致しているとき（Ｘ＝０、Ｙ＝０）の送信スペクトラムを示す。このように直交変調器１５の原点のＤＣバイアス電圧と直交変調器１５に入力される変調波信号の原点が一致しているときには、図３（１）の（ｂ）に示すように原点をｆ０とする変調波３１０に対して低減搬送波３２０は発生しない。図３（２）の（ａ）に直交変調器１５の原点（０，０）に相当するＤＣバイアス電圧と、直交変調器１５に入力される変調波信号の原点（Ｘ，Ｙ）に相当するＤＣバイアス電圧が一致しないときの送信スペクトラムを示す。このように直交変調器１５の原点のＤＣバイアス電圧と直交変調器１５に入力される変調波信号の原点が一致しないときには、図３（２）の（ｂ）に示すように原点をｆ０とする変調波３３０に対してＳＱＲＴ（ｘ2＋ｙ2）の低減搬送波３４０が発生する。図２に示す構成のＲＺ−ＳＳＢ方式を用いる無線機においては、低減搬送波と変調波の電力和が送信電力となり、低減搬送波と変調波のレベル比により変調度が決まるので、この変調度を安定させることで、送信部２１０の送信波を安定させていた。このため、変調度を安定させるために、レベル変動しない安定した低減搬送波を発生させるようにしていた。
【０００８】
しかし、ＲＺ−ＳＳＢ方式を利用した無線機では、温度変化や経年変化等により直交変調器１５が入力するＤＣバイアス電圧が変動することで低減搬送波が変動し、無線機の最大送信電力や変調度が変わってしまうことがあった。このため、低減搬送波のレベル変動を調整する必要があった。
【０００９】
なお、上記従来の低減搬送波を用いるＳＳＢ技術として下記特許文献１がある。
【先行技術文献】
【特許文献】
【００１０】
【特許文献１】特開平６−２５２６４７
【発明の概要】
【発明が解決しようとする課題】
【００１１】
特許文献１の装置では、搬送波を任意のレベルに設定したＳＳＢ、すなわち低減搬送波あるいは全搬送波ＳＳＢの大電力送信出力が得られるＳＳＢ放送機の高電力段変調方式を提供している。しかし、低減搬送波のレベル変動を調整することはできない。
【００１２】
本発明はこのような状況に鑑みてなされたものであり、上記課題を解決できる無線通信装置を提供することを目的とする。
【課題を解決するための手段】
【００１３】
本発明の無線機は、ＲＺ−ＳＳＢ方式の無線機において、低減搬送波初期値を記憶する低減搬送波初期値記憶手段と、一定の基準電圧を発生させる基準電圧発生手段と、前記低減搬送波初期値と前記基準電圧を加算して変調波に供給する電圧供給手段と、前記基準電圧と前記低減搬送波初期値の和の基準値を記憶する電圧和記憶手段と、前記電圧和記憶手段に記憶された電圧和と前記電圧供給手段から出力された電圧を比較して補正値を生成する補正値生成手段と、前記補正値生成手段で生成した補正値に基づいて前記電圧供給手段の出力を補正する電圧補正手段と、を備えたことを特徴としている。
【発明の効果】
【００１４】
本発明によれば、送信中において低減搬送波のレベル変動があった場合に補正し、低減搬送波のレベル変動を抑えることができる。また、送信停止時において変調波信号のＤＣバイアス電圧の変動があった場合にＤＣバイアス電圧を補正することで、次回送信時の低減搬送波のレベル変動を抑えることができる。このように低減搬送波のレベル変動を調整することで変調度が安定し、無線機の送信波を安定させることができる。
【図面の簡単な説明】
【００１５】
【図１】本発明の実施形態に係るＲＺ−ＳＳＢ方式を用いた無線機の送信部の構成を示す図である。
【図２】従来の実施例に係るＲＺ−ＳＳＢ方式を用いた無線機の送信部の構成を示す図である。
【図３】低減搬送波とＳＳＢ変調波を組み合わせた波形のスペクトラムを示す図である。
【発明を実施するための形態】
【００１６】
以下、本発明を実施するための形態（以下、「実施形態」という）について図面を参照して説明する。図１に、本発明の実施形態に係るＲＺ−ＳＳＢ方式を用いた無線機の送信部１１０の構成を示す。
【００１７】
本発明の実施形態であるＲＺ−ＳＳＢ方式を用いた無線機の送信部１１０について説明する。図１に実施形態のＲＺ−ＳＳＢ方式を用いた無線機（図示せず）の送信部１１０の構成を示す。ＲＺ−ＳＳＢ方式の無線機の送信部１１０は、変調波信号生成部１ａ、ＲＯＭ２、データ比較・補正値生成部３、加算器４、加算器５、Ｄ／Ａ変換器６ａ、ＲＯＭ２１ａ、ＲＯＭ２２、スイッチ３０、ＲＯＭ２３、データ比較・補正値生成部２４、加算器２５、Ａ／Ｄ変換器２６、Ｄ／Ａ変換器２７ａ、基準電圧発生部２８、加算器２９、加算器７ａ、加算器８ａ、加算器９、加算器１０、ループフィルタ１１、ループフィルタ１２、Ａ／Ｄ変換器１３、Ａ／Ｄ変換器１４、直交変調器１５、ＲＦ部１６、アンテナ１７、方向性結合器１８、帰還ＲＦ部１９、及び直交復調器２０から構成されている。図２に従来のＲＺ−ＳＳＢ方式を用いた無線機の送信部２１０と同じものについては、同じ番号を付している。
【００１８】
次に、ＲＺ−ＳＳＢ方式の無線機の送信部１１０を構成する各部の動作について説明する。送信部１１０は、送信中か送信停止中かを示す送信ＯＮ／ＯＦＦ信号を入力している。変調波信号生成部１ａは、送信するデジタル信号をＲＺ−ＳＳＢ方式で変調し、変調波信号を生成すると、変調波信号のデジタル同相信号Ｉを加算器４に出力し、変調波信号のデジタル直交信号Ｑを加算器５に出力する。ＲＯＭ２は、「ＤＣバイアス電圧基準値」が記憶されている不揮発性の読み出し専用メモリである。データ比較・補正値生成部３は、送信ＯＮ／ＯＦＦ信号により送信停止中（送信ＯＦＦ）のときに、ＲＯＭ２から読み出した「ＤＣバイアス電圧基準値」と、アナログデジタル変換器（以下、Ａ／Ｄ変換器という）１３から入力したデジタル同相信号Ｉ及びＡ／Ｄ変換器１４から入力したデジタル直交信号Ｑの変調波信号のＤＣデバイス電圧とを比較する。そして、データ比較・補正値生成部３は、ＤＣデバイス電圧が「ＤＣバイアス電圧基準値」に対して変動していると判定したときに、ＤＣデバイス電圧の変動分に対する補正値を加算器４及び加算器５に出力する。加算器４は、変調波信号生成部１ａから入力した変調波信号のデジタル同相信号Ｉと、データ比較・補正値生成部３から入力したＤＣバイアス電圧の補正値とを加算し、Ｄ／Ａ変換器６ａに出力する。加算器５は、変調波信号生成部１ａから入力した変調波信号のデジタル直交信号Ｑと、データ比較・補正値生成部３から入力したＤＣバイアス電圧の補正値とを加算し、Ｄ／Ａ変換器６ａに出力する。また、送信ＯＮ／ＯＦＦ信号により送信中（送信ＯＮ）のときには、加算器４は、変調波信号生成部１ａから入力した変調波信号のデジタル同相信号Ｉを、Ｄ／Ａ変換器６ａに出力する。加算器５は、変調波信号生成部１ａから入力した変調波信号のデジタル直交信号Ｑを、Ｄ／Ａ変換器６ａに出力する。Ｄ／Ａ変換器６ａは、加算器４から入力したデジタル同相信号Ｉをアナログ同相信号Ｉに変換し、加算器７ａに出力する。また、Ｄ／Ａ変換器６ａは、加算器５から入力したデジタル直交信号Ｑをアナログ直交信号Ｑに変換し、加算器８ａに出力する。
【００１９】
ＲＯＭ２１ａは、低減搬送波生成用のＤＣバイアス電圧である「低減搬送波初期値」が記憶されている不揮発性の読み出し専用メモリである。ＲＯＭ２２は、「０（低減搬送波無し）」が記憶されている不揮発性の読み出し専用メモリである。ＲＯＭ２３は、「基準電圧＋低減搬送波初期値」の基準値が記憶されている不揮発性の読み出し専用メモリである。スイッチ３０は、送信ＯＮ／ＯＦＦ信号に基づいてＲＯＭ２１ａとＲＯＭ２２の切り替えを行うスイッチである。スイッチ３０は、送信中のときには、ＲＯＭ２１ａ側に切り替え、送信停止中のときには、ＲＯＭ２２側に切り替える。データ比較・補正値生成部２４は、送信中のときに、ＲＯＭ２３から読み出した「基準電圧＋低減搬送波初期値」の基準値と、Ａ／Ｄ変換器２６から入力したＤＣデバイス電圧と低減搬送波の加算値を比較する。そして、データ比較・補正値生成部２４は、ＤＣデバイス電圧と低減搬送波の加算値に変動があると判定すると、低減搬送波の補正値を加算器２５に出力する。加算器２５は、ＲＯＭ２１ａから読み出した「低減搬送波初期値」に、データ比較・補正値生成部２４から入力した低減搬送波の補正値を加算すると、Ｄ／Ａ変換器２７ａに出力する。また、送信ＯＮ／ＯＦＦ信号が送信停止中のときには、データ比較・補正値生成部２４では比較は行われないため、加算器２５は、ＲＯＭ２２から読み出した「０（低減搬送波無し）」をＤ／Ａ変換器２７ａに出力する。Ｄ／Ａ変換器２７ａは、加算器２５から入力した補正した低減搬送波または「０（低減搬送波無し）」をアナログ信号に変換し、加算器２９に出力する。基準電圧発生部２８から出力される基準電圧は、ＤＣバイアス電圧変換を行うために発生させる一定の基準電圧である。加算器２９は、Ｄ／Ａ変換器２７ａから入力した補正された低減搬送波と基準電圧発生部２８とを加算し、加算器７ａと加算器８ａに出力する。また、加算器２９が出力する補正された低減搬送波と基準電圧発生部２８の出力との加算値は、Ａ／Ｄ変換器２６が入力してデジタル信号に変換すると、データ比較・補正値生成部２４に出力される。
【００２０】
加算器７ａは、Ｄ／Ａ変換器６ａから入力した変調波信号のアナログ同相信号Ｉに、加算器２９から入力した低減搬送波と基準電圧の加算値を加算すると、変調波信号のアナログ同相信号Ｉを加算器９に出力する。加算器８ａは、Ｄ／Ａ変換器６ａから入力した変調波信号のアナログ直交信号Ｑに、加算器２９からから入力した低減搬送波と基準電圧の加算値を加算すると、変調波信号のアナログ直交信号Ｑを加算器１０に出力する。加算器９は、加算器７ａから入力した低減搬送波成分が付加された変調波信号のアナログ同相信号Ｉから、直交復調器２０から入力した帰還側のアナログ同相信号Ｉを減算すると、ループフィルタ１１に出力する。加算器１０は、加算器８ａから入力した低減搬送波成分が付加された変調波信号のアナログ直交信号Ｑから、直交復調器２０から入力した帰還側のアナログ直交信号Ｑを減算すると、ループフィルタ１２に出力する。
【００２１】
ループフィルタ１１は、加算器９から入力したアナログ同相信号Ｉに対して帯域制限し、直交変調器１５とＡ／Ｄ変換器１３に出力する。ループフィルタ１２は、加算器１０から入力したアナログ直交信号Ｑに対して帯域制限し、直交変調器１５とＡ／Ｄ変換器１４に出力する。Ａ／Ｄ変換器１３は、ループフィルタ１１から入力したアナログ同相信号Ｉをデジタル同相信号Ｉに変換し、データ比較・補正値生成部３に出力する。Ａ／Ｄ変換器１４は、ループフィルタ１２から入力したアナログ直交信号Ｑをデジタル直交信号Ｑに変換し、データ比較・補正値生成部３に出力する。直交変調器１５は、ループフィルタ１１から入力したアナログ同相信号Ｉと、ループフィルタ１２から入力したアナログ直交信号Ｑを、ＩＦ（中間）周波数帯に直交変調し、ＲＦ部１６に出力する。ＲＦ部１６は、直交変調器１５から入力した直交変調された出力信号をＲＦ（Radio Frequency：高周波数）の周波数帯に変換すると、規定出力に増幅して方向性結合器１８を介してアンテナ１７に出力する。アンテナ１７は、ＲＦ部１６から出力信号を入力すると空間に放射する。方向性結合器１８は、ＲＦ部１６から出力信号の一部を分波し、帰還ＲＦ部１９へ出力する。無線機は、負帰還方式リニアライザの構成とするために方向性結合器１８を備え、方向性結合器１８により出力信号の一部を分波して帰還させている。帰還ＲＦ部１９は、ＲＦ部１６から入力した出力信号をＩＦ周波数帯に変換し、直交復調器２０に出力する。直交復調器２０は、帰還ＲＦ部１９から入力した出力信号をベースバンド帯に直交復調すると、直交復調した出力信号のアナログ同相信号Ｉを加算器９に出力し、直交復調した出力信号のアナログ直交信号Ｑを加算器１０に出力する。このように加算器９が入力したアナログ同相信号Ｉから直交復調器２０により帰還したアナログ同相信号Ｉを減算し、また加算器１０が入力したアナログ直交信号Ｑから直交復調器２０により帰還したアナログ直交信号Ｑを減算することで、送信波に負帰還が行われるため非線形歪み補償された変調信号が得られる。
【００２２】
なお、Ａ／Ｄ変換器１３、Ａ／Ｄ変換器１４、およびＡ／Ｄ変換器２６は、コンパレータに置き換えてＤＣバイアス電圧基準値とアナログ信号として比較し、比較結果により補正値を変えることも可能である。また、加算器２５とＤ／Ａ変換器２７ａは、基準電圧発生部２８と加算器２９の間、あるいは加算器２９とＡ／Ｄ変換器２６への分岐点との間に設けることも可能である。
【００２３】
本発明によれば、無線機の送信中のときに、変調波信号に加算するＤＣバイアス電圧変換用の基準電圧と、低減搬送波生成用のＤＣバイアス電圧との加算値を監視し、レベルの変動があった場合に補正することにより、低減搬送波のレベル変動を抑えることができる。このように低減搬送波のレベル変動を抑えることで変調度が安定し、送信部１１０の送信波を安定させることができる。
【００２４】
また、本発明によれば、無線機が送信停止中のときには、スイッチ３０によりＲＯＭ２２が選択されて「０（低減搬送波無し）」のデータが読み出される。また、データ比較・補正値生成部２４から直前に出力した補正値と「０（低減搬送波無し）」が加算器２５で加算され、更に基準電圧発生部２８の出力と加算器２９で加算される。一方、無線機が送信停止中のときには、変調波信号生成部１ａから無信号データが出力され、加算器７ａおよび加算器８ａにてアナログ信号に変換された変調波信号（無信号データ）と、補正された基準電圧発生部２８の出力が加算器２９から出力され加算される。このような送信部１１０の直交変調器１５では、変調波信号のＤＣバイアス電圧のみを検出することができるので、Ａ／Ｄ変換器１３およびＡ／Ｄ変換器１４により、このＤＣバイアス電圧をデジタル信号に変換し、データ比較・補正値生成部３に出力する。データ比較・補正値生成部３は入力したＤＣバイアス電圧と、「ＤＣバイアス電圧基準値」と比較し、変動があれば補正値を加算器４および加算器５により変調波信号に加算する。このように、送信停止時においては、変調波信号のＤＣバイアス電圧の変動があった場合にＤＣバイアス電圧を補正することで、次回送信時の低減搬送波のレベル変動を抑えることができるので、変調度が安定し、無線機の送信波を安定させることができる。
【００２５】
以上、具体的な実施の形態により本発明を説明したが、上記実施の形態は本発明の例示であり、この実施の形態に限定されないことは言うまでもない。
【００２６】
以上をまとめると、本発明は次のような特徴を有する。
（１） 本発明の無線機は、ＲＺ−ＳＳＢ方式の無線機において、低減搬送波初期値を記憶する低減搬送波初期値記憶手段と、一定の基準電圧を発生させる基準電圧発生手段と、前記低減搬送波初期値と前記基準電圧を加算して変調波に供給する電圧供給手段と、前記基準電圧と前記低減搬送波初期値の和の基準値を記憶する電圧和記憶手段と、前記電圧和記憶手段に記憶された電圧和と前記電圧供給手段から出力された電圧を比較して補正値を生成する補正値生成手段と、前記補正値生成手段で生成した補正値に基づいて前記電圧供給手段の出力を補正する電圧補正手段と、を備えたことを特徴としている。
（２） 本発明の無線機は、ＲＺ−ＳＳＢ方式の無線機において、ＤＣバイアス電圧基準値を記憶するＤＣバイアス電圧基準値記憶手段と、前記ＤＣバイアス電圧基準値記憶手段に記憶された前記ＤＣバイアス電圧基準値と直交変調器が入力するＤＣバイアス電圧を比較して補正値を生成するＤＣバイアス電圧補正値生成手段と、前記ＤＣバイアス電圧補正値生成手段で生成した補正値を変調波に加算する変調波補正値加算手段と、低減搬送波無しのときの電圧を記憶する低減搬送波無し電圧記憶手段と、前記低減搬送波無し電圧記憶手段に記憶された前記電圧を前記変調波に供給する低減搬送波無し電圧供給手段と、を備えたことを特徴としている。
（３）本発明の無線機は、ＲＺ−ＳＳＢ方式の無線機において、低減搬送波初期値を記憶する低減搬送波初期値記憶手段と、一定の基準電圧を発生させる基準電圧発生手段と、前記低減搬送波初期値と前記基準電圧を加算して変調波に供給する電圧供給手段と、前記基準電圧と前記低減搬送波初期値の和の基準値を記憶する電圧和記憶手段と、前記電圧和記憶手段に記憶された電圧和と前記電圧供給手段から出力された電圧を比較して補正値を生成する補正値生成手段と、前記補正値生成手段で生成した補正値に基づいて前記電圧供給手段の出力を補正する電圧補正手段と、ＤＣバイアス電圧基準値を記憶するＤＣバイアス電圧基準値記憶手段と、前記ＤＣバイアス電圧基準値記憶手段に記憶された前記ＤＣバイアス電圧基準値と直交変調器が入力するＤＣバイアス電圧を比較して補正値を生成するＤＣバイアス電圧補正値生成手段と、前記ＤＣバイアス電圧補正値生成手段で生成した補正値を前記変調波に加算する変調波補正値加算手段と、低減搬送波無しのときの電圧を記憶する低減搬送波無し電圧記憶手段と、前記低減搬送波無し電圧記憶手段に記憶された前記電圧を前記変調波に供給する低減搬送波無し電圧供給手段と、を備えたことを特徴としている。
（４）（１）から（３）のいずれかの本発明の無線機は、出力信号の一部を分波する方向性結合手段と、前記方向性結合手段から入力した前記出力信号をＩＦ周波数帯に変換する帰還ＲＦ手段と、前記帰還ＲＦ手段から入力したＩＦ周波数帯に変換された前記出力信号をベースバンド帯に直交復調する直交復調手段と、を備え、前記直交復調手段で直交復調した出力信号を前記変調波の信号から減算して負帰還方式リニアライザの構成とすることを特徴としている。
（５）本発明の無線機のレベル変動抑制方法は、ＲＺ−ＳＳＢ方式の無線機において、低減搬送波初期値を記憶する低減搬送波初期値記憶工程と、一定の基準電圧を発生させる基準電圧発生工程と、前記低減搬送波初期値と前記基準電圧を加算して変調波に供給する電圧供給工程と、前記基準電圧と前記低減搬送波初期値の和の基準値を記憶する電圧和記憶工程と、前記電圧和記憶工程に記憶された電圧和と前記電圧供給工程から出力された電圧を比較して補正値を生成する補正値生成工程と、前記補正値生成工程で生成した補正値に基づいて前記電圧供給工程の出力を補正する電圧補正工程と、を備えたことを特徴としている。
（６）本発明の無線機のレベル変動抑制方法は、ＲＺ−ＳＳＢ方式の無線機において、ＤＣバイアス電圧基準値を記憶するＤＣバイアス電圧基準値記憶工程と、前記ＤＣバイアス電圧基準値記憶工程に記憶された前記ＤＣバイアス電圧基準値と直交変調器が入力するＤＣバイアス電圧を比較して補正値を生成するＤＣバイアス電圧補正値生成工程と、前記ＤＣバイアス電圧補正値生成工程で生成した補正値を変調波に加算する変調波補正値加算工程と、低減搬送波無しのときの電圧を記憶する低減搬送波無し電圧記憶工程と、前記低減搬送波無し電圧記憶工程に記憶された前記電圧を前記変調波に供給する低減搬送波無し電圧供給工程と、を備えたことを特徴としている。
【産業上の利用可能性】
【００２７】
本発明は、無線機に好適であるが、送信波に付加される低減搬送波のレベル調整を行う機器一般に適用可能である。
【符号の説明】
【００２８】
１・・・・・変調波信号生成部
１ａ・・・・変調波信号生成部
２・・・・・ＲＯＭ（ＤＣバイアス電圧基準値）
３・・・・・データ比較・補正値生成部
４・・・・・加算器
５・・・・・加算器
６・・・・・Ｄ／Ａ変換器
６ａ・・・・Ｄ／Ａ変換器
７・・・・・加算器
７ａ・・・・加算器
８・・・・・加算器
８ａ・・・・加算器
９・・・・・加算器
１０・・・・・加算器
１１・・・・・ループフィルタ
１２・・・・・ループフィルタ
１３・・・・・Ａ／Ｄ変換器
１４・・・・・Ａ／Ｄ変換器
１５・・・・・直交変調器
１６・・・・・ＲＦ部
１７・・・・・アンテナ
１８・・・・・方向性結合器
１９・・・・・帰還ＲＦ部
２０・・・・・直交復調器
２１・・・・・ＲＯＭ
２１ａ・・・・ＲＯＭ
２２・・・・・ＲＯＭ
２３・・・・・ＲＯＭ
２４・・・・・データ比較・補正値生成部
２５・・・・・加算器
２６・・・・・Ａ／Ｄ変換器
２７・・・・・Ｄ／Ａ変換器
２７ａ・・・・Ｄ／Ａ変換器
２８・・・・・基準電圧発生部
２９・・・・・加算器
３０・・・・・スイッチ
３１・・・・・加算器
３２・・・・・加算器
１１０・・・・・ＲＺ−ＳＳＢ方式の無線機の送信部
２１０・・・・・ＲＺ−ＳＳＢ方式の無線機の送信部
３１０・・・・・変調波
３２０・・・・・低減搬送波
３３０・・・・・変調波
３４０・・・・・低減搬送波
【図１】
2012124818.tif 000003
【図２】
2012124818.tif 000004
【図３】
2012124818.tif 000005